(57)【要約】【課題】従来例と比較して防水性能の低下を抑制する。【解決手段】エンド部材７は、ケース本体６の開口端を閉塞する底壁70と、ケース本体６内に挿入される筒状の内壁71と、ケース本体６の周壁を挟んで内壁71と対向する筒状の外壁72とを備える。防水パッキン８は、ケース本体６の周壁と外壁72との間に挟み込まれる第１突片80と、ケース本体６の周壁と内壁71との間に挟み込まれる第２突片81と、第１突片80と第２突片81を連結し且つケース本体６の周壁と底壁70との間に挟み込まれる連結部82とを備える。すなわち、第１突片80と第２突片81が厚み方向からケース本体６の周壁に密着するため、温度変化に伴う膨張・収縮などの影響により、ケース本体６の周壁が拡径した場合でも、ケース本体６の周壁と防水パッキン８との密着度の低下を抑えることができる。【選択図】        図１
2015111538.tif 000002
【特許請求の範囲】
【請求項１】
１乃至複数の固体発光素子を有する光源と、前記光源を支持する支持部材と、前記光源を支持した前記支持部材を内部に収納する防水ケースとを備え、
前記防水ケースは、少なくとも一端側が開口する筒状に形成され、且つ前記光源と対向する周壁が透光性を有する材料で形成されるケース本体と、前記ケース本体の開口を閉塞するエンド部材と、前記ケース本体と前記エンド部材との間の隙間を塞ぐ防水パッキンとを有し、
前記エンド部材は、前記ケース本体の開口端を閉塞する底壁と、前記ケース本体内に挿入される筒状の内壁と、前記ケース本体の周壁を挟んで前記内壁と対向する筒状の外壁とを備え、
前記防水パッキンは、前記ケース本体の周壁と前記外壁との間に挟み込まれる第１突片と、前記ケース本体の周壁と前記内壁との間に挟み込まれる第２突片と、前記第１突片と前記第２突片を連結し且つ前記ケース本体の周壁と前記底壁との間に挟み込まれる連結部とを備えることを特徴とする光源ユニット。
【請求項２】
前記第１突片及び前記第２突片のうちの少なくとも何れか一方は、前記ケース本体の周壁と対向する面に、複数の突条が形成されることを特徴とする請求項１記載の光源ユニット。
【請求項３】
前記エンド部材の前記外壁は、先端に向かって前記内壁に近付く向きに傾斜する傾斜面を有することを特徴とする請求項１又は２記載の光源ユニット。
【請求項４】
前記光源は、前記エンド部材の前記外壁及び前記内壁の先端よりも前記ケース本体の中央寄りの位置に配置されることを特徴とする請求項１〜３の何れか１項に記載の光源ユニット。
【請求項５】
前記第１突片及び前記第２突片のうちの少なくとも何れか一方は、前記エンド部材と対向する面に、１乃至複数の突条が形成されることを特徴とする請求項１〜４の何れか１項に記載の光源ユニット。
【請求項６】
前記第１突片及び前記第２突片は、前記ケース本体の周壁と対向する面に１乃至複数の突条が形成され、前記第１突片に形成される前記突条は、前記第２突片に形成される前記突条に対して、前記周壁の厚み方向から見てずれた位置に形成されることを特徴とする請求項１〜５の何れか１項に記載の光源ユニット。
【請求項７】
請求項１〜６の何れかの光源ユニットと、前記光源ユニットを支持する器具本体とを備えることを特徴とする照明器具。
【発明の詳細な説明】
【技術分野】
【０００１】
本発明は、固体発光素子を光源とする光源ユニット、及びその光源ユニットを備える照明器具に関する。
【背景技術】
【０００２】
従来例として、特許文献１記載の照明器具を例示する。この従来例は、複数の発光素子を光源とする光源部と、光源部を点灯させる点灯装置と、点灯装置を収容する収容凹部を有し且つ収容凹部の開口を塞ぐようにして光源部を支持する本体とを備える。なお、本体は、収容凹部の開口と反対側の面で天井に直付けされる。
【先行技術文献】
【特許文献】
【０００３】
【特許文献１】特開２０１２−３９９３号公報
【発明の概要】
【発明が解決しようとする課題】
【０００４】
ところで、従来例のような光源部(光源ユニット)が屋側(建造物の屋外側の壁)などの風雨に曝される場所に設置される場合、何らかの防水構造が必要となる。このような防水構造は、例えば、内部に光源を収納する筒状のケースと、ケースの開口部を閉塞するエンド部材と、エンド部材とケースとの隙間を塞ぐ防水パッキンとで構成される。
【０００５】
エンド部材は、ケースの開口部を閉塞する板状の部材と、板状の部材の一面から突出してケースの開口部に差し込まれる筒状の周壁とを有している。また、防水パッキンは筒状に形成され、ケースの内周面と周壁の外周面との間に介在して隙間を塞ぐように構成される。
【０００６】
しかしながら、上述のような防水構造では、温度変化に伴う膨張・収縮などの影響により、開口部側の端部においてケースが拡径した場合、ケースの内周面と防水パッキンとの密着度が低下してケース内に水が浸入する可能性が高くなる虞があった。
【０００７】
本発明は、上記課題に鑑みて為されたものであり、従来例と比較して防水性能の低下を抑制することを目的とする。
【課題を解決するための手段】
【０００８】
本発明の光源ユニットは、１乃至複数の固体発光素子を有する光源と、前記光源を支持する支持部材と、前記光源を支持した前記支持部材を内部に収納する防水ケースとを備え、前記防水ケースは、少なくとも一端側が開口する筒状に形成され、且つ前記光源と対向する周壁が透光性を有する材料で形成されるケース本体と、前記ケース本体の開口を閉塞するエンド部材と、前記ケース本体と前記エンド部材との間の隙間を塞ぐ防水パッキンとを有し、前記エンド部材は、前記ケース本体の開口端を閉塞する底壁と、前記ケース本体内に挿入される筒状の内壁と、前記ケース本体の周壁を挟んで前記内壁と対向する筒状の外壁とを備え、前記防水パッキンは、前記ケース本体の周壁と前記外壁との間に挟み込まれる第１突片と、前記ケース本体の周壁と前記内壁との間に挟み込まれる第２突片と、前記第１突片と前記第２突片を連結し且つ前記ケース本体の周壁と前記底壁との間に挟み込まれる連結部とを備えることを特徴とする。
【０００９】
この光源ユニットにおいて、前記第１突片及び前記第２突片のうちの少なくとも何れか一方は、前記ケース本体の周壁と対向する面に、複数の突条が形成されることが好ましい。
【００１０】
この光源ユニットにおいて、前記エンド部材の前記外壁は、先端に向かって前記内壁に近付く向きに傾斜する傾斜面を有することが好ましい。
【００１１】
この光源ユニットにおいて、前記光源は、前記エンド部材の前記外壁及び前記内壁の先端よりも前記ケース本体の中央寄りの位置に配置されることが好ましい。
【００１２】
この光源ユニットにおいて、前記第１突片及び前記第２突片のうちの少なくとも何れか一方は、前記エンド部材と対向する面に、１乃至複数の突条が形成されることが好ましい。
【００１３】
この光源ユニットにおいて、前記第１突片及び前記第２突片は、前記ケース本体の周壁と対向する面に１乃至複数の突条が形成され、前記第１突片に形成される前記突条は、前記第２突片に形成される前記突条に対して、前記周壁の厚み方向から見てずれた位置に形成されることが好ましい。
【００１４】
本発明の照明器具は、前記何れかの光源ユニットと、前記光源ユニットを支持する器具本体とを備えることを特徴とする。
【発明の効果】
【００１５】
本発明の光源ユニット及び照明器具は、第１突片と第２突片が厚み方向からケース本体の周壁に密着するため、温度変化に伴う膨張・収縮などの影響により、ケース本体の周壁が拡径した場合でも、従来例と比較して防水性能の低下を抑制することができるという効果がある。
【図面の簡単な説明】
【００１６】
【図１】本発明に係る光源ユニットの実施形態を示す一部省略した断面図である。
【図２】本発明に係る照明器具の実施形態を示す分解斜視図である。
【図３】同上の光源ユニットの実施形態を示す一部省略した断面図である。
【図４】同上の光源ユニットの実施形態を示し、取付具を取り付けた状態の一部省略した側面図である。
【図５】同上の照明器具の実施形態を示す一部省略した正面図である。
【図６】同上の光源ユニットの実施形態を示す一部省略した断面図である。
【図７】同上の光源ユニットの実施形態を示す一部省略した断面図である。
【図８】同上の光源ユニットの実施形態を示す一部省略した断面図である。
【図９】同上の光源ユニットの実施形態を示す一部省略した断面図である。
【図１０】同上の光源ユニットの実施形態を示す一部省略した断面図である。
【図１１】同上の光源ユニットの実施形態を示す一部省略した断面図である。
【図１２】同上の光源ユニットの実施形態を示す一部省略した断面図である。
【図１３】同上におけるエンド部材と防水パッキンの別の構成を示す一部省略した断面図である。
【図１４】同上におけるエンド部材と防水パッキンの別の構成を示す一部省略した断面図である。
【図１５】同上におけるエンド部材と防水パッキンの別の構成を示す一部省略した断面図である。
【図１６】同上におけるエンド部材と防水パッキンの別の構成を示す一部省略した断面図である。
【図１７】同上におけるエンド部材と防水パッキンの別の構成を示す一部省略した断面図である。
【図１８】同上におけるエンド部材と防水パッキンの別の構成を示す一部省略した断面図である。
【図１９】同上における光源ユニットの別の構成を示す一部省略した断面図である。
【図２０】同上における光源ユニットの別の構成を示す一部省略した断面図である。
【図２１】同上におけるエンド部材と防水パッキンの別の構成を示す一部省略した断面図である。
【図２２】同上におけるエンド部材と防水パッキンの別の構成を示す一部省略した断面図である。
【図２３】同上におけるエンド部材と防水パッキンの別の構成を示す一部省略した断面図である。
【図２４】本発明に係る照明器具の別の実施形態を示す分解斜視図である。
【発明を実施するための形態】
【００１７】
以下、本発明に係る光源ユニット２並びに照明器具Ａの実施形態について、図面を参照して詳細に説明する。なお、以下の説明では、特に断りのない限り、図２において上下左右前後の各向きを規定する。
【００１８】
本実施形態の照明器具Ａは、図２及び図５に示すように光源ユニット２と、器具本体１とで構成される。器具本体１は、例えば、屋側などの風雨に曝される場所に直付けされる。そして、光源ユニット２は、器具本体１に対して着脱可能に取り付けられる。
【００１９】
器具本体１は、板金に曲げ加工を施すことで長尺且つ上面が開口する扁平な箱状に形成される。また、器具本体１は、その下面に矩形の凹部11が長手方向(左右方向)の全長に亘って設けられており、この凹部11に光源ユニット２を収容するように構成される。また、器具本体１の短幅方向(前後方向)における凹部11の両側には、凹部11の開口端縁から延出し且つ外側に向かって上方へ傾斜する傾斜部12がそれぞれ設けられている。なお、図示は省略するが、凹部11の底板には電線を通すための孔が設けられ、前記電線が接続される端子台が取り付けられている。
【００２０】
光源ユニット２は、図１及び図２に示すように、LEDモジュール３と、LEDモジュール３を支持する支持部材４と、LEDモジュール３を支持した支持部材４を内部に収納する防水ケース５と、電源装置(図示せず)とを備える。
【００２１】
LEDモジュール３は、左右方向に長い矩形板状に形成されたプリント配線板31を有する。プリント配線板31は、その下面に複数のＬＥＤ(発光ダイオード)30が左右方向(長手方向)に沿って実装されている。また、LEDモジュール３の長手方向の端部には、電源装置との間を電気的に接続するためのコネクタ(図示せず)が実装されている。このコネクタには電線(図示せず)が接続されており、この電線の端部を電源装置に接続することでLEDモジュール３と電源装置とが電気的に接続される。
【００２２】
支持部材４は、板金に曲げ加工を施すことでＵ字状に形成され、長尺且つ矩形板状に形成された底板40と、底板40の短幅方向(前後方向)における両端から上下方向(底板40と直交する方向)に立ち上がる一対の側板41とで構成される(図１参照)。なお、上述したLEDモジュール３は、例えば、支持部材４の底板40の一部を切り起こすことで形成された爪(図示せず)により支持部材４に支持される。
【００２３】
電源装置は、電源基板(図示せず)と、電源基板を収納する収納ケース(図示せず)とを有する。電源基板は、左右方向に長い矩形板状に形成されたプリント配線板からなり、このプリント配線板には、少なくともＬＥＤ30の点灯電力を生成するために必要な回路部品(例えばトランスやダイオード、コンデンサなど)が実装されている。
【００２４】
収納ケースは、一面が開口し且つ左右方向に長い矩形箱状に形成されている。また、収納ケースは、開口側が支持部材４の底板40と対向するようにして、例えばねじなどを用いて支持部材４の側板41に取り付けられる。
【００２５】
防水ケース５は、図２に示すようにケース本体６と２つのエンド部材７とで構成される。ケース本体６は、透光性を有する合成樹脂材料(例えば、アクリル樹脂やポリカーボネート樹脂など)で両端が開口した長尺の角筒状に形成され、その内部にLEDモジュール３を収納するように構成されている(図１参照)。なお、LEDモジュール３は、図３に示すように支持部材４の側板41が複数(図示は１つ)の取付金具61によってケース本体６にねじ止めされることでケース本体６に固定される。
【００２６】
また、ケース本体６は、LEDモジュール３の発光面(LED30が実装されている面)と対向する下側の周壁が下向きに突出した半円筒状に形成されている。つまり、この半円筒状の周壁を透過する際にLED30の光の配光が制御される。以下、周壁の半円筒状の部分を配光部60と呼ぶ。なお、配光部60は、拡散材が混入されたり、多数の凹凸が形成されたりすることで光を拡散させるように構成されることが好ましい。ただし、ケース本体６は、合成樹脂材料の代わりに石英ガラスなどの透光性材料で形成されても構わない。
【００２７】
エンド部材７は、図１に示すように底壁70と内壁71と外壁72とが合成樹脂成形体として一体に形成されてなる。底壁70は、厚み方向(左右方向)から見た外形が、ケース本体６を左右方向から見た外形と相似する形状に形成されている。また、底壁70には、凹所700が形成されており、この凹所700の周壁が内壁71を形成している。外壁72は、底壁70の周縁に沿って突出する筒状に形成されている。さらに、外壁72と内壁71との間には、ケース本体６の周壁の厚み寸法よりも大きい寸法の隙間が形成されている。そして、この隙間にケース本体６の長手方向の端部を挿通するようにして、エンド部材７がケース本体６に取り付けられる。
【００２８】
ここで、ケース本体６とエンド部材７との間の前記隙間には、図１に示すように防水パッキン８が配置される。この防水パッキン８は、第１突片80、第２突片81、連結部82、底板部83がシリコーン樹脂などの弾性を有する材料で一体に形成されて構成される。第１突片80は筒状に形成されている。第２突片81は第１突片80の内周面と対向するように筒状に形成されている。そして、第１突片80と第２突片81とは、一端側において連結部82で連結される。また、第２突片81の他端側は板状の底板部83で閉塞されている。
【００２９】
光源ユニット２は、ケース本体６内にLEDモジュール３が収納された後、ケース本体６の長手方向の両端開口がエンド部材７と防水パッキン８とで閉塞されるようにして組み立てられる。すなわち、第１突片80と第２突片81と連結部82が、内壁71と外壁72との隙間に挿入された後、第１突片80と第２突片81との間に周壁が挿入されるようにして、エンド部材７及び防水パッキン８がケース本体６の端部に取り付けられる。このとき、第１突片80は、ケース本体６の周壁とエンド部材７の外壁72との間に挟み込まれる。また、第２突片81は、ケース本体６の周壁とエンド部材７の内壁71との間に挟み込まれる。さらに、連結部82は、エンド部材７の底壁70とケース本体６の周壁の先端との間に挟み込まれる。したがって、ケース本体６とエンド部材７の間に形成される隙間が、第１突片80及び第２突片81、連結部82で埋められるため、防水ケース５(ケース本体６)内への雨水の浸入防止が図られる。ただし、防水パッキン８とエンド部材７及びケース本体６との密着度を高めるため、第１突片80と第２突片81の間の間隔が、ケース本体６の周壁の厚み寸法よりも僅かに小さくなるように構成される。なお、図示は省略しているが、ケース本体６とエンド部材７とは、金具などを介してねじ止めされる。また、電源装置と接続される電線は、ケース本体６の周壁に設けられる挿通孔(図示せず)及び防水用のブッシング(図示せず)を通して防水ケース５の外に引き出される。
【００３０】
上述のように本実施形態の光源ユニット２は、１乃至複数の固体発光素子(LED30)を有する光源(LEDモジュール３)と、光源を支持する支持部材４と、光源を支持した支持部材４を内部に収納する防水ケース５とを備える。防水ケース５は、少なくとも一端側が開口する筒状に形成され、且つ光源と対向する周壁が透光性を有する材料で形成されるケース本体６を有する。さらに、防水ケース５は、ケース本体６の開口を閉塞するエンド部材７と、ケース本体６とエンド部材７との間の隙間を塞ぐ防水パッキン８とを有する。エンド部材７は、ケース本体６の開口端を閉塞する底壁70と、ケース本体６内に挿入される筒状の内壁71と、ケース本体６の周壁を挟んで内壁71と対向する筒状の外壁72とを備える。防水パッキン８は、ケース本体６の周壁と外壁72との間に挟み込まれる第１突片80と、ケース本体６の周壁と内壁71との間に挟み込まれる第２突片81と、第１突片80と第２突片81を連結し且つケース本体６の周壁と底壁70との間に挟み込まれる連結部82とを備える。
【００３１】
本実施形態の光源ユニット２は上述のように構成されるので、従来例のように内壁71と周壁の間のみ、あるいは外壁72と周壁の間のみが防水パッキンで塞がれる場合と比較して防水性能の低下を抑制することができる。すなわち、第１突片80と第２突片81が厚み方向からケース本体６の周壁に密着するため、温度変化に伴う膨張・収縮などの影響により、ケース本体６の周壁が拡径した場合でも、ケース本体６の周壁と防水パッキン８との密着度の低下を抑えることができる。
【００３２】
次に、光源ユニット２を器具本体１に取り付けるための構造について説明する。本実施形態の光源ユニット２は、図５に示すように取付具９を用いて器具本体１に取り付けられる。
【００３３】
取付具９は、図４に示すようにケース本体６に固定される第１固定部90と、器具本体１に固定される第２固定部91と、第１固定部90と第２固定部91を連結する連結部92とが金属板を加工することで一体に形成されて構成される。
【００３４】
第１固定部90は、平坦な矩形板状に形成され、ケース本体６においてLEDモジュール３と対向しない面(周壁の上面)に固定される。なお、第１固定部90は、例えば、防水ワッシャを介してケース本体６の周壁にねじ止めされる。
【００３５】
連結部92は、前後方向から見てＬ形に曲げられており、エンド部材７に沿ってケース本体６の配光部60に近付く向きに突出し、且つ下端に第２固定部91を連結するように構成される。
【００３６】
第２固定部91は、連結部92の下端から第１固定部90とほぼ平行且つ第１固定部90と反対向きに突出している。また、第２固定部91は、長手方向の中央にねじ挿通孔910が貫通している(図２参照)。
【００３７】
一方、器具本体１は、長手方向における凹部11の外側の底面にねじ孔13がそれぞれ設けられている(図２参照)。
【００３８】
したがって、光源ユニット２は、配光部60よりも上方の部分が凹部11内に収納され、取付具９の第２固定部91のねじ挿通孔910に挿通されるねじ93が器具本体１のねじ孔13にねじ込まれることによって、器具本体１に固定される(図５参照)。
【００３９】
上述のように、光源ユニット２は、ケース本体６に固定される取付具９を介して器具本体１に固定されるので、エンド部材７及び防水パッキン８にケース本体６の荷重がかからない。そのため、器具本体１に振動が加わったり、あるいは強風を受けた場合においても、エンド部材７や防水パッキン８に過大な応力が生じることが回避できる。
【００４０】
ここで、図６に示すように、防水パッキン８の第１突片80は、ケース本体６の周壁と対向する面に、複数(図示例では４つ)の突条800が形成されることが好ましい。これらの突条800は、第１突片80に全周に亘って形成されている。したがって、各突条800の先端部分がケース本体６の周壁に押し当てられて変形することにより、第１突片80と周壁との密着度が高まり、防水パッキン８の防水性の向上が図られる。
【００４１】
あるいは、図７に示すように、第１突片80の代わりに第２突片81に複数の突条810が形成されても構わない。若しくは、図８に示すように第１突片80と第２突片81の双方に複数の突条800，810が形成されても構わない。ただし、ケース本体６の寸法誤差などを考慮すれば、第１突片80及び第２突片81の何れか一方のみに突条800，810を形成することが好ましい。
【００４２】
ところで、台風などによる強風が吹いた場合、エンド部材７の外壁72の先端面が受ける風圧荷重が増大して防水パッキン８の防水性が低下する虞がある。つまり、外壁72の先端面がケース本体６の周面とほぼ直交する向きにあるため、外壁72の先端面が受ける風圧荷重の大半が外壁72を周壁から離す向きに作用し、防水パッキン８と内壁71や外壁72と周壁との密着度が低下するのである。
【００４３】
そこで、図９に示すように、エンド部材７の外壁72は、先端(図９における右端)に向かって内壁71に近付く向きに傾斜する傾斜面720を有することが好ましい。すなわち、外壁72の傾斜面720が受ける風圧荷重の一部が外壁72を内壁71に向けて押す力となるので、防水パッキン８の第１突片80と外壁72及び第１突片80とケース本体６の周壁との密着度が高まることで防水性の低下が抑制される。
【００４４】
ここで、LED30の光が外壁72で遮られる範囲はLED30と外壁72の先端を結ぶ線よりもエンド部材７側となる。したがって、エンド部材７は、内壁71に対して外壁72の高さ寸法(図１０における左右方向の長さ寸法)を短くすれば、外壁72と内壁71の高さ寸法が同じ場合と比較して、LED30の光がより広い範囲まで照射される(図１０における破線Ｌ１と実線Ｌ２参照)。
【００４５】
ところで、エンド部材７は、図１１に示すように凹所700が無い平坦な底壁70を備える構成であっても構わない。このとき、光源(LEDモジュール３)は、エンド部材７の外壁72及び内壁71の先端よりもケース本体６の中央寄りの位置に配置されることが好ましい。すなわち、図１２に示すように光源(LEDモジュール３)が、エンド部材７の外壁72及び内壁71の先端よりもケース本体６の中央から離れた位置に配置されると、LED30の光が内壁71や外壁72に遮られる範囲が広くなってしまう。そのため、図１１に示すように光源(LEDモジュール３)が、エンド部材７の外壁72及び内壁71の先端よりもケース本体６の中央寄りの位置に配置されれば、LED30の光が遮られる範囲を相対的に狭くすることができる。
【００４６】
また、第１突片80に設けられる突条800は、図１３に示すように第２突片81に形成される突条810に対して、周壁の厚み方向(上下方向)から見てずれた位置に形成されることが好ましい。つまり、第１突片80の突条800と第２突片81の突条810が周壁の厚み方向から見てずれていない場合、第１突片80と第２突片81との間にケース本体６の周壁が差し込まれる際の抗力が大きくなり、差込作業が行い難くなる可能性が有る。また、上記構成によれば、第１突片80の突条800と第２突片81の突条810が周壁の厚み方向から見てずれていない場合と比較して、突条800，810に生じる応力を緩和することができる。さらに、上記構成によれば、第１突片80の突条800と第２突片81の突条810が周壁の厚み方向から見てずれていない場合と比較して、防水パッキン８の成型時における型抜きが容易になるという利点もある。
【００４７】
また、図１４に示すように、第１突片80は、エンド部材７の外壁72に対向する面において、厚み方向から見て複数の突条800と重なる位置に各々凹溝801が設けられてもよい。同様に、第２突片81は、エンド部材７の内壁71に対向する面において、厚み方向から見て複数の突条810と重なる位置に各々凹溝811が設けられてもよい。このような凹溝801，811が設けられることにより、突条800，810に生じる応力を緩和することができる。
【００４８】
あるいは、図１５に示すように、第１突片80は、ケース本体６の周壁に対向する面において、各突条800の両側に各々凹溝802が設けられてもよい。同様に、第２突片81は、ケース本体６の周壁に対向する面において、各突条810の両側に各々凹溝812が設けられてもよい。このような凹溝802，812が設けられることにより、突条800，810に生じる応力を緩和することができる。
【００４９】
ところで、図１６に示すように、第１突片80の突条800と、第２突片81の突条810とが、互いに先端同士が触れ合う程度の高さに形成されれば、各突条800，810とケース本体６の周壁との密着度合が向上して防水性が高められる。ただし、上記構成では、第１突片80と第２突片81との間にケース本体６の周壁が差し込まれる際の抗力が大きくなり、差込作業が行い難くなる可能性が有る。したがって、第１突片80に設けられる突条800は、図１７に示すように第２突片81に形成される突条810に対して、周壁の厚み方向(上下方向)から見てずれた位置に形成されることが好ましい。上記構成によれば、防水パッキン８の防水性をさらに高めることができる。
【００５０】
また、第１突片80の突条800と第２突片81の突条810は、必ずしも同じ数だけ設けられる必要は無く、例えば、図１８に示すように第２突片81の突条810が第１突片80の突条800よりも少なくても構わない。この場合、数の少ない第２突片81の突条810は、第１突片80の突条800よりも大きく押し潰されることになるから、第２突片81とケース本体６の周壁との間から雨水が浸入し難くなる。ただし、図示は省略するが、第１突片80の突条800が第２突片81の突条810よりも少なくても構わない。
【００５１】
また、図１９に示すように、防水パッキン８は、ケース本体６の周壁よりも一回り小さく形成されても構わない。つまり、防水パッキン８は、引き延ばされた状態でエンド部材７の内壁71と外壁72の間に挿入され、且つ周壁に被せられるので、第１突片80の突条800及び第２突片81の突条810と周壁との密着度合が高まる。その結果、防水パッキン８の防水性が向上する。
【００５２】
ところで、エンド部材７が凹所700の無い平坦な底壁70を備える構成である場合、エンド部材７の外壁72と防水パッキン８の第１突片80との隙間から浸入した雨水が内壁71と第２突片82との隙間を通してケース本体６内に到達する可能性が有る。
【００５３】
そこで、図２０に示すように第１突片80及び第２突片81は、エンド部材７と対向する面に１乃至複数の突条803，813が形成されることが好ましい。これらの突条803，813は、第１突片80及び第２突片81に全周に亘って形成されている。したがって、各突条803，813の先端部分がエンド部材７に押し当てられて変形することにより、第１突片80及び第２突片81とエンド部材７との密着度が高まり、防水パッキン８の防水性の向上が図られる。
【００５４】
また、防水パッキン８の第１突片80及び第２突片81の外壁面が、図２１に示すように、連結部82に向かって互いに近付く傾斜面として構成されても構わない。この場合、エンド部材７は、図２１に示すように、内壁71と外壁72の対向面が底壁70に向かって互いに近付く傾斜面として構成されることが好ましい。すなわち、上記構成によれば、エンド部材７の内壁71と外壁72の間に、防水パッキン８が挿入し易くなるという利点がある。ただし、防水パッキン８は、図２２に示すように、連結部82と反対側における第１突片80と第２突片81の幅寸法Ｄ１が、底壁70と反対側における内壁71と外壁72の間の空間の幅寸法Ｄ２よりも大きく形成されてもよい(図２２における点線参照)。この場合、防水パッキン８が内壁71と外壁72の間の空間に圧入されるので、内壁71及び外壁72との密着度合が高まって防水性が向上するという利点がある。
【００５５】
さらに、防水パッキン８は、図２３に示すように、第１突片80の外周面と第２突片81の外周面とが部分的に突出するように構成されても構わない(図２３における点線参照)。この場合、防水パッキン８は、第１突片80及び第２突片81の突出部位804，814が、内壁71と外壁72の間の空間に圧入される。そして、防水パッキン８は、内壁71及び外壁72との接触圧が突出部位804、814において局所的に高くなるから、内壁71及び外壁72との密着度合が高まって防水性が向上するという利点がある。
【００５６】
ところで、ケース本体６は、図２４に示すように平坦な側壁と半円筒形状の配光部60との境界部分が外側に突出しない形状に形成されても構わない。そして、エンド部材７の底壁70は、厚み方向(左右方向)から見た外形が、ケース本体６を左右方向から見た外形と相似する形状に形成される。
【００５７】
ここで、エンド部材７と取付具９が金属材料(例えば、アミルダイカスト)で一体に形成されると、防水ケース５が強風を受けた場合に防水パッキン８に過大な応力が生じてしまい、防水性能の低下を招く虞がある。
【００５８】
一方、本実施形態のようにエンド部材７と取付具９が別体に構成されていれば、防水ケース５が強風を受けた場合でもエンド部材７及び防水パッキン８に過大な応力が生じ難いので、防水性能の低下を抑えることができる。
【符号の説明】
【００５９】
１  器具本体
２  光源ユニット
３  LEDモジュール(光源)
４  支持部材
５  防水ケース
６  ケース本体
７  エンド部材
８  防水パッキン
30  発光ダイオード(固体発光素子)
70  底壁
71  内壁
72  外壁
80  第１突片
81  第２突片
82  連結部
【図１】
2015111538.tif 000003
【図２】
2015111538.tif 000004
【図３】
2015111538.tif 000005
【図４】
2015111538.tif 000006
【図５】
2015111538.tif 000007
【図６】
2015111538.tif 000008
【図７】
2015111538.tif 000009
【図８】
2015111538.tif 000010
【図９】
2015111538.tif 000011
【図１０】
2015111538.tif 000012
【図１１】
2015111538.tif 000013
【図１２】
2015111538.tif 000014
【図１３】
2015111538.tif 000015
【図１４】
2015111538.tif 000016
【図１５】
2015111538.tif 000017
【図１６】
2015111538.tif 000018
【図１７】
2015111538.tif 000019
【図１８】
2015111538.tif 000020
【図１９】
2015111538.tif 000021
【図２０】
2015111538.tif 000022
【図２１】
2015111538.tif 000023
【図２２】
2015111538.tif 000024
【図２３】
2015111538.tif 000025
【図２４】
2015111538.tif 000026